(57)【要約】【課題】圃場に複数条の苗を植付ける植付装置と、該植付装置によって植付けられた苗の条間のうち所定の条間の略中央部に施肥を行う施肥具を備えた施肥同時移植機において、苗移植後に圃場内での苗の管理作業等の際に施肥跡に足を踏み入れることを防止して施肥した肥料を流出させることなく上記管理作業等を行えるようする施肥同時移植機を得る。【解決手段】施肥具によって略中央部に施肥が行われない条間を示す指標を圃場に形成する指標形成装置を設けた。また、施される肥料が流動性を有し、施肥具を後方に向かうにつれて順次深くなるようなノズルで構成した。【選択図】        図３
2005046013.tif 000002
【特許請求の範囲】
【請求項１】
圃場に苗を所定幅の条間をもって植付ける植付装置と、該植付装置によって植付けられた苗の条間のうち所定の条間の略中央部に施肥を行う施肥具を備えた施肥同時移植機において、前記施肥具による施肥が行われない条間を示す指標を圃場に形成する指標形成装置を設けたことを特徴とする施肥同時移植機。
【請求項２】
施される肥料が流動性を有し、施肥具が後方に向かうにつれて順次深くなるように延設されたノズルで構成された請求項１記載の施肥同時移植機。
【発明の詳細な説明】
【０００１】
【発明の属する技術分野】
本発明は、圃場に苗を所定幅の条間をもって苗を植付けると同時に条間に施肥する施肥同時移植機の構造に関する。
【０００２】
【従来の技術】
従来、圃場に所定幅の条間をもって苗を植付けると同時に条間に施肥する施肥同時移植機は既に知られている（例えば、特許文献１参照）。
【０００３】
【特許文献１】
特許第２５６７６４５号公報（第１，２，３頁、第２，４，５図）
【０００４】
【発明が解決しようとする課題】
ところで、従来の施肥同時移植機には、苗の植付条間に施肥する装置として、生育初期に肥効のある肥料を各移植苗近傍の浅い位置に施肥する側条施肥装置と、該側条施肥装置とは別に、更に隣接する２条の植付条に対して苗の生育後期で肥料が作用するように、この２条の植付条の条間の略中央部に深く施肥する深層施肥装置を設けたものがあるが、苗移植後に圃場の管理、例えば、欠株の補植や除草等を行うために作業者が圃場に足を踏み入れて移動しながらこれらの作業を行うに際し、苗の生育期間中に誤って施肥された上を歩くと肥料が外部に流出してしまい、苗に生育ムラが発生して後の収量に悪影響が発生する場合がある。
しかし、前記した施肥装置は、肥料の流出防止を目的に、施肥具を細いノズルで構成して施肥跡を細くしたり、また別途施肥跡を埋め戻してしまうため、苗の生育期間中に足を踏み入れ可能な中央部に施肥されていない条間と、中央部に施肥された条間との区別がつきにくく、誤って中央部に施肥された条間に足を踏み入れることがあった。
そこで、本発明は、これら従来の課題を解決することを目的とする。
【０００５】
【課題を解決するための手段】
上記目的を達成するため、本発明においては、圃場に苗を所定幅の条間をもって植付ける植付装置と、該植付装置によって植付けられた苗の条間のうち所定の条間の略中央部に施肥を行う施肥具を備えた施肥同時移植機において、前記施肥具による施肥が行われない条間を示す指標を圃場に形成する指標形成装置を設けたことを特徴とする。
【０００６】
又、施される肥料が流動性を有し、施肥具が後方に向かうにつれて順次深くなるように延設されたノズルで構成されたことを第２の特徴とする。
【０００７】
【発明の実施の形態】
本発明の実施の形態の一例を以下図面に基づいて説明する。
図面は移植機としての歩行型田植機を示し、図１は田植機の全体背面図、図２は要部の平面図であって、田植機下部の各フロートと施肥ノズルとの位置関係を示す。図３は田植機の全体側面図であり、図４は説明用の図面で、（ａ）は田植機での作業状態の平面図、（ｂ）は圃場表面部分の背面図である。
【０００８】
先ず、図中１は、走行機体であって、ハンドル２の前方には４条植えの苗載台３が備えられており、該苗載台３は左右方向に往復移動可能に、走行機体１のステー１３に支持されていて、該苗載台３の前下端部で図４（ａ）に記載の如く、各植付装置４・・・にて左右往復移動する苗載台３上のマット状苗から苗を掻取りながら、圃場上に１株分づつの苗５・・・を所定の株間で移植していくものである。
一方、走行機体１の下部には中央フロート６を挟んで、両側に側部フロート７，７が設けられており、上記１株分づつの苗５・・・は両フロート６，７、６，７の間に各２条づつが、両フロート６，７の側部近傍に夫々１条分づつ所定の条間を隔てて移植されるようになっている。
【０００９】
また、図２において、中央フロート６の前部両側及び側部フロート７，７の前部内側には、夫々上段ノズル８・・・があって、図４（ａ）で示されるように、移植した各条の苗５・・・の近傍に、上記ノズル８・・・の先端吐出口８ａ・・・より筋状の流動性肥料を圃場内の土壌中に施肥するようになっている。
更に、両フロート６，７の後部側で両フロート６，７の中間部には２本の下段ノズル９，９があって、図３に示すように上段ノズル８・・・、及び下段ノズル９，９はの側面視において前方から後方に向かうにつれて順次土中に深く挿入されるように延出されている。
そして、これらの下段ノズル９，９の後部に吐出口９ａ，９ａがあって、該吐出口９ａより流動性の肥料が、連続的且つ筋状に土中へ円滑に吐出して施肥されるように構成されている。
【００１０】
そして、図１の走行機体１は、各フロート６，７，７中央部の後部側に延出して、圃場面に指標１０・・〔図４（ｂ）参照〕を形成するための指標形成装置としての線引マーカ１１・・を前記ステー１３に備えている。
従って、図４で明白なように、走行機体１での苗の移植作業において、上記線引マーカ１１・・によって指標１０の形成される植付条間Ａの中央部には施肥は行われず、その両側の植付条間Ｂ，Ｂの略中央部に上記下段ノズル９，９が位置して、該下段ノズル９，９から圃場の深い位置に流動性の肥料が施肥されることとなるものである。
なお、図１の符号１４，１４は、車輪１５，１５の後部に夫々設けた車輪の後消し装置である。
【００１１】
次に、図５は上記線引マーカ１１を拡大したもので、（ａ）は斜視図、（ｂ）は正面図であって、線引マーカ１１はアーム１１ａと取付板１１ｂ及び２枚の側板１１ｃ，１１ｃとからなり、両側板１１ｃ，１１ｃは、図５（ｂ）に記載の如く、中心部の下方に逆Ｖ字状の切欠１１ｄを有しており、平面視ではＶ字状に後方が拡開した状態で取付板１１ｂに装着されるものである。
【００１２】
また、図６に記載のものは、上記図４（ｂ）の圃場に形成された指標１０部分を拡大したもので、上記線引マーカ１１の拡開状態の両側板１１ｃ，１１ｃによって両脇に大きな凸部１６ａ，１６ａが出来ると共に、両側板１１ｃ，１１ｃ中央部の切欠１１ｄにより中央に小さな凸部１６ｂが描かれるものである。
【００１３】
本発明の施肥同時移植機は、以上のような構成よりなっており、移植・施肥作業を開始するに当たっては、走行機体１の苗載台３上にマット状苗を満載すると共に、側条用と条間中央用の流動性肥料を施肥タンク１７に充満させてからエンジンを始動させ、作業機クラッチや変速装置等を操作しながら作業を開始する。
この時、苗載台３上の苗は植付装置４・・・にて、１株毎に掻取られて圃場に移植されると共に、施肥ポンプ１８の作動により施肥タンク１７内の流動性肥料も各苗の移植条毎に上段ノズル８・・・及び下段ノズル９，９の先端吐出口８ａ・・・，９ａ，９ａより泥面内に一定量が筋状に連続的に施肥される。
【００１４】
そして、これらの作業状態は、図４で明白なように、上段ノズル８・・・からの施肥は、苗５の近傍に筋状に施肥される訳であるが、下段ノズル９・からの施肥は、隔条毎の植付条間Ｂ・・・の略中央部に筋状に施肥され、これら施肥されない隔条毎の植付条間Ａ・・・には、線引マーカ１１・・・による指標１０・・・が圃場面にはっきりと形成されるものである。
そこで、作業者が苗の生育期間中に苗５の補植や除草等の作業を行うために植付条間の略中央部に足を踏み入れて移動しながらこれらの作業を行う場合に、上記線引マーカ１１・・で指標が形成された植付条間Ａ・・・に入ってこれらの作業を行えば良い。
そして、このような作業を繰り返し行うことによって、移植・施肥同時作業を行うものである。
【００１５】
従って、本願は簡単な装置を追加するだけで、作業者が苗の生育期間中に苗５の補植や除草等の作業を行うために、中央部に施肥を行っていない植付条間Ａであるか、中央部に施肥された植付条間Ｂであるかが、指標１０の有無により直ちに判別出来、足を踏み入れると不都合が生じる条間に足を踏み入れることなくこれらの作業が行えるもので、肥料の流出を防止することが出来て、苗５の生育ムラを抑え、後の収量への悪影響を軽減するものである。
【００１６】
しかも、施される肥料が流動性を有し、施肥装置の施肥口９ａが細径であり、後方に向かうにつれて順次深くなるようにノズル９が延設されていることから、圃場内の土中への施肥作業や施肥跡の埋め戻し作業等が円滑に行われると共に、施肥した肥料の流出も防止される。
【００１７】
また、本実施の形態は、前記植付条間Ａ，Ｂの内、下段ノズル９で略中央部に施肥していない植付条間Ａに線引マーカ１１による指標１０を形成するものを示したが、略中央部に施肥した植付条間Ｂに指標１０を形成してもよく、その場合は指標を形成しなかった条間に足を踏み入れることになる。
【００１８】
【発明の効果】
本発明は、前記の如く、圃場に苗５を所定幅の条間をもって植付ける植付装置４と、該植付装置４によって植付けられた苗５の条間のうち所定の条間の略中央部に施肥を行う施肥具９，９を備えた施肥同時移植機において、前記施肥具９，９による施肥が行われない条間を示す指標を圃場に形成する指標形成装置１１・・を設けたので、簡単な装置を追加するだけで、作業者が苗の生育期間中に苗５の補植や除草等の作業を行うために、中央部に施肥を行っていない植付条間Ａであるか、中央部に施肥された植付条間Ｂであるかが、指標１０の有無により直ちに判別出来、足を踏み入れると不都合が生じる条間に足を踏み入れることなくこれらの作業が行えるもので、肥料の流出を防止することが出来て、苗５の生育ムラを抑え、後の収量への悪影響を軽減するものである。
【００１９】
また、施される肥料が流動性を有し、施肥具９，９が後方に向かうにつれて順次深くなるように延設されたノズルで構成されたことにより、土中への施肥作業及び施肥跡の埋め戻し作業が円滑に行われ、施肥した肥料の流出も防止されるとの作用効果を併せ奏するものである。
【図面の簡単な説明】
【図１】田植機の全体背面図である。
【図２】同上要部の平面図である。
【図３】同上全体側面図である。
【図４】同上説明用図面で、（ａ）は田植機での作業状態の平面図、（ｂ）は圃場表面部分の背面図である。
【図５】線引マーカを拡大したもので、（ａ）は斜視図、（ｂ）は正面図である。
【図６】指標の拡大断面図である。
【符号の説明】
１  走行機体
４  植付装置
５  苗
９  下段ノズル
１０  指標
１１  線引マーカ
１６ａ，１６ｂ  凸部
Ａ，Ｂ  植付条間
【図１】
2005046013.tif 000003
【図２】
2005046013.tif 000004
【図３】
2005046013.tif 000005
【図４】
2005046013.tif 000006
【図５】
2005046013.tif 000007
【図６】
2005046013.tif 000008